(57)【要約】【課題】フレームメモリや駆動回路をさらに備えることなく、表示画像を９０度回転させることができるアクティブマトリクス型の表示装置を提供する。【解決手段】液晶表示装置１は、第１のシフトレジスタ２と、第２のシフトレジスタ３と、液晶パネル４と、バッファ１２とを備え、点順次駆動を行う。液晶パネル４には、縦方向に延びる第１の走査信号線ＬＡ１〜ＬＡｎと、横方向に延びる第２の走査信号線ＬＢ１〜ＬＢｍとが配設され、これらの各交点近傍には画素形成部５が設けられ、また全ての画素形成部５内を通るアナログ映像信号線１１が配設されている。ここで、第１のシフトレジスタ２および第２のシフトレジスタ３が同じ構成であるため、ホスト６からこれらのシフトレジスタに与える制御信号を入れ替えることによりこれらの動作（機能）を入れ替えることができる。そのことにより、表示画像を９０度（または２７０度）回転させることができる。【選択図】図１
2005208307.tif 000002
【特許請求の範囲】
【請求項１】
所定の方向へ延びる互いに平行な複数の第１の信号線と、前記第１の信号線と直交する方向へ延びる互いに平行な複数の第２の信号線と、前記第１および第２の信号線の交差点にそれぞれ対応してマトリクス状に配置される複数の画素を形成する画素形成部と、所定の映像信号を伝送する映像信号線と、前記複数の第１の信号線に与える所定の第１の信号の状態を所定の期間ずつアクティブにする第１の駆動手段と、前記複数の第２の信号線に与える所定の第２の信号の状態を所定の期間ずつアクティブにする第２の駆動手段とを備える表示装置であって、
前記映像信号線は、前記画素形成部全てに前記映像信号を伝送し、
前記画素形成部は、
前記映像信号を受け取ることにより表示を行う電気光学素子と、
前記複数の第１の信号線のうちの対応する交差点を通る第１の信号線に与えられる第１の信号の状態がアクティブであってかつ前記複数の第２の信号線のうちの対応する交差点を通る第２の信号線に与えられる第２の信号の状態がアクティブであるときには前記電気光学素子に前記映像信号を与え、前記第１の信号の状態がアクティブでないときまたは前記第２の信号の状態がアクティブでないときには前記電気光学素子に前記映像信号を与えないスイッチ回路とを含むことを特徴とする表示装置。
【請求項２】
前記スイッチ回路は、
前記対応する交差点を通る第１の信号線に与えられる第１の信号の状態がアクティブであるときにオンされる第１のスイッチング素子と、
前記対応する交差点を通る第２の信号線に与えられる第２の信号の状態がアクティブであるときにオンされる第２のスイッチング素子とを含み、
前記第１および第２のスイッチング素子は、前記映像信号線と前記電気光学素子との間に直列に介挿されることを特徴とする、請求項１に記載の表示装置。
【請求項３】
前記スイッチ回路は、
前記対応する交差点を通る第１の信号線に与えられる第１の信号の状態がアクティブであるときであってかつ前記対応する交差点を通る第２の信号線に与えられる第２の信号の状態がアクティブであるときに、所定のオン電圧を出力するＡＮＤ回路と、
前記映像信号線と前記電気光学素子との間に介挿されており、前記ＡＮＤ回路から前記オン電圧を受け取ることにより、前記映像信号線と前記電気光学素子とを接続するスイッチング素子とを含むことを特徴とする、請求項１に記載の表示装置。
【請求項４】
前記電気光学素子は液晶素子であることを特徴とする、請求項１から請求項３までのいずれか１項に記載の表示装置。
【発明の詳細な説明】
【技術分野】
【０００１】
本発明は、アクティブマトリクス型の表示装置に関し、より詳細には表示すべき画像を９０度（または２７０度）回転させることができる表示装置に関する。
【背景技術】
【０００２】
従来より、携帯電話、ＰＤＡ（Ｐｅｒｓｏｎａｌ  Ｄｉｇｉｔａｌ  Ａｓｓｉｓｔａｎｔ）、またはノート型コンピュータ等の携帯用情報機器のための表示装置として、薄膜トランジスタ（ＴＦＴ：Ｔｈｉｎ  Ｆｉｌｍ  Ｔｒａｎｓｉｓｔｏｒ）を使用したアクティブマトリクス型液晶表示装置（以下「ＴＦＴ−ＬＣＤ装置」という）が使用されており、特にこのＴＦＴを連続粒界結晶シリコン（以下「ＣＧシリコン」という）により形成したＴＦＴ−ＬＣＤ装置が使用されることが多い。
【０００３】
これらの表示装置は、一般的には長方形であるため、その長手方向を水平方向（横方向）に合わせることにより表示画面を横長とした状態で使用され、またはその長手方向を垂直方向（縦方向）に合わせることにより表示画面を縦長とした状態で使用される。ここで、表示画面を横長とした状態で使用されることを前提に設計された表示装置を以下では「横型表示装置」といい、表示画面を縦長とした状態で使用されることを前提に設計された表示装置を以下では「縦型表示装置」という。
【０００４】
ここで、使用されるアプリケーションによっては、横型表示装置においても表示画面を縦長とした状態で使用され、または縦型表示装置においても表示画面を横長とした状態で使用されることが望ましい場合がある。この場合には、通常表示されるべき画像に対して適宜の方向へ９０度回転させられた画像が表示されなければならない。
【０００５】
このように画像を９０度回転させるため、従来の一般的な構成の表示装置では、表示画面に表示される画像を全て（１画面分）記憶する装置（以下「フレームメモリ」という）が必要となる。このフレームメモリを使用しない場合、従来の一般的な構成の縦型表示装置では、横型表示装置のためのアプリケーションを使用することはできず、その逆もできない。例えば、縦方向の表示画素数が６４０であり横方向の表示画素数が４８０の表示装置すなわち６４０×４８０の表示装置は、４８０×６４０の表示装置のためのアプリケーションを使用することはできない。
【０００６】
次に、上記の一般的な構成の表示装置（ここでは上記ＴＦＴ−ＬＣＤ装置）の構成について図５を参照して説明する。図５は、従来の液晶表示装置の構成例を示す図である。この液晶表示装置１０１は、ソースドライバ１０２と、ゲートドライバ１０３と、表示を行うためのアクティブマトリクス型の液晶パネル１０４とを備える。ホスト１０６は、この液晶表示装置１０１の外部に設けられており、アナログ映像信号を含む信号を液晶表示装置１０１に与える。なお、この液晶表示装置１０１は、アナログ映像信号を表示素子毎に順次に印加していく駆動方式である点順次駆動方式を使用する。
【０００７】
ここで、ソースドライバ１０２およびゲートドライバ１０３は、液晶パネル１０４とは異なる基板上に形成されるのが一般的であるが、本液晶表示装置はこれらが多結晶シリコンやＣＧシリコン等を使用した同一基板上に形成されてもよい。このように同一基板上に表示部と駆動回路部とが一体的に形成された液晶表示装置は、ドライバーモノリシック型液晶表示装置と呼ばれる。この場合、上記液晶表示装置におけ液晶パネル１０４は、ソースドライバ１０２およびゲートドライバ１０３を含むものとなる。
【０００８】
液晶パネル１０４には、縦方向に延びる互いに平行なｎ本のデータ信号線であるソースバスラインＳ１〜Ｓｎと、これらに直交する方向（横方向）に延びる互いに平行なｍ本の走査信号線であるゲートバスラインＧ１〜Ｇｍとが配設されており、これらソースバスラインＳ１〜ＳｎとゲートバスラインＧ１〜Ｇｍとの各交点近傍には画素形成部１０５が設けられている。ここで、ｎはアナログ映像信号に含まれる画像データが表す画像の水平方向の画素数（なお、カラー表示の場合は１つの画素につき３つのソースバスラインが必要であるが、ここでは説明を簡略化するため１つのソースバスラインで表している）に相当する自然数であり、ｍはその垂直方向の画素数に相当する自然数である。したがって、液晶パネル１０４には、上記画像を表示するためのｍ×ｎ個の画素形成部１０５がマトリクス状に配設されることになる。また図５では、これらｍ×ｎ個のうちの任意の１つが画素形成部１０５として例示されている。なお、図中のｊはｍ以下の任意の自然数であり、ｋはｎ以下の任意の自然数である。
【０００９】
図６は、上記画素形成部１０５の構成を示す回路図である。この画素形成部１０５は、ソースバスラインＳｋおよびゲートバスラインＧｊの交差点ＣＰｊｋ近傍に設けられており、スイッチング素子であるＴＦＴ１０７と、表示素子である液晶素子１０８と、与えられる電荷を保持するための補助容量１０９とを備える。具体的には、液晶パネル４は、各種信号線およびＴＦＴ１０７を含むＴＦＴ基板と、全ての画素形成部に共通する電極である共通電極（対向電極）Ｅｃを含む基板との間に液晶素子１０８を構成する液晶が挟まれるように配置される構造を有している。また、ＴＦＴ１０７のソース端子にはソースバスラインＳｋより所定のソース電圧を有するソース駆動信号が供給され、そのゲート端子にはゲートバスラインＧｊより所定のゲート電圧を有するゲート駆動信号が供給される。さらに、そのドレイン端子は、液晶と接するように上記ＴＦＴ基板に設けられた画素電極Ｅｐに接続される。なお、補助容量１０９は、液晶を挟む画素電極Ｅｐおよび共通電極Ｅｃの間に形成される容量（以下「液晶容量」という）に対して並列に形成される容量であり、この液晶容量と補助容量１０９とを合わせた容量は画素容量と呼ばれる。
【００１０】
ホスト１０６は、例えばパーソナルコンピュータ等に含まれる所定の信号源からデジタル映像信号を受け取り、当該デジタル映像信号の表す画像を液晶パネル１０４に表示させるための信号として、所定のソースドライバ用スタートパルスＳＳＰ（以下、単に「スタートパルスＳＳＰ」という）と、ソースドライバ用クロック信号ＳＣＬＫ（以下、単に「クロック信号ＳＣＬＫ」という）と、ソースバスラインＳ１〜Ｓｎに印加すべきアナログ電圧信号であるアナログ映像信号ＡＶと、所定のゲートドライバ用スタートパルスＧＳＰ（以下、単に「スタートパルスＧＳＰ」という）と、ゲートドライバ用クロック信号ＧＣＬＫ（以下、単に「クロック信号ＧＣＬＫ」という）と、ソースドライバ１０２に含まれるシフトレジスタのシフト動作の方向を制御するための方向制御信号ＳＲＥＶと、ゲートドライバ１０３に含まれるシフトレジスタのシフト動作の方向を制御するための方向制御信号ＧＲＥＶとを生成し、生成されたこれらの信号を液晶表示装置１０１に与える。
【００１１】
ソースドライバ１０２は、シフトレジスタ２０と、上記アナログ映像信号ＡＶを伝送するためのビデオライン２１と、このビデオライン２１とソースバスラインＳ１〜Ｓｎとの間に挿入されるｎ個のアナログスイッチＡＳ１〜ＡＳｎとを含んでおり、ホスト１０６からスタートパルスＳＳＰ、クロック信号ＳＣＬＫ、およびアナログ映像信号ＡＶを受け取る。
【００１２】
このソースドライバ１０２に含まれるシフトレジスタ２０は、ソースバスラインＳ１〜Ｓｎにそれぞれ対応するｎ個のフリップフロップを含んでいる。これらのフリップフロップから出力される信号により、ソースバスラインＳ１〜Ｓｎにそれぞれ接続されるアナログスイッチＡＳ１〜ＡＳｎがオンまたはオフされる。また、シフトレジスタ２０は、ホスト１０６から与えられるスタートパルスＳＳＰをクロック信号ＳＣＬＫに応じて順次シフトする動作を行うことにより、対応するフリップフロップに接続されるアナログスイッチＡＳ１〜ＡＳｎを順次に所定期間だけオンする。このことにより、アナログ映像信号ＡＶが上記所定期間だけソースバスラインＳ１〜Ｓｎに順次印加されるため、本液晶表示装置１０１において点順次駆動が実現される。
【００１３】
ゲートドライバ１０３もソースドライバ１０２と同様にシフトレジスタを含んでおり、ホスト１０６からスタートパルスＧＳＰおよびクロック信号ＧＣＬＫを受け取る。このシフトレジスタは、ゲートバスラインＧ１〜Ｇｍにそれぞれ対応するｍ個のフリップフロップを含んでいる。また、このシフトレジスタは、ホスト１０６から与えられるスタートパルスＧＳＰをクロック信号ＧＣＬＫに応じて順次シフトする動作を行うことにより、対応するゲートバスラインＧ１〜Ｇｍが所定期間ずつ順次に選択される。このことにより、選択されたゲートバスラインに対し、当該ゲートバスラインに接続される画素形成部１０５のＴＦＴ１０７に印加される電圧信号である走査信号の状態をアクティブにする。
【００１４】
このように、ソースドライバ１０２からソースバスラインＳ１〜Ｓｎにアナログ映像信号ＡＶが順次印加され、ゲートドライバ１０３からゲートバスラインＧ１〜Ｇｍに印加される走査信号の状態が順次アクティブにされる。このことにより、液晶素子１０８（液晶層）を挟む画素電極Ｅｐと共通電極Ｅｃとの間に、（これらの電極間の電位差に相当する電圧として）アナログ映像信号ＡＶに応じた電圧が印加される。液晶パネル１０４は、この印加電圧によって液晶素子１０８（液晶層）の光透過率を制御することにより、外部のパソコン等の信号源から受け取ったデジタル映像信号の示す画像を表示する。
【００１５】
また、ソースドライバ１０２に含まれるシフトレジスタ２０とゲートドライバ１０３に含まれるシフトレジスタは、そのシフト動作の動作方向（以下、単に「シフト方向」という）を指定する信号である方向制御信号ＳＲＥＶ，ＧＲＥＶにより、対応するシフトレジスタのシフト方向を順方向または逆方向のいずれかに設定することができる。方向制御信号ＳＲＥＶ，ＧＲＥＶによりこのシフト方向が変更されると、変更されたシフト方向に応じて液晶パネル１０４の表示画面に表示される画像の表示方向が（ゲートドライバ１０３のシフト方向を反転させることにより）上下に反転し、または（ソースドライバ１０２のシフト方向を反転させることにより）左右に反転することになる。
【００１６】
このように、本液晶表示装置では、表示画像を上下および左右に反転することができるため、表示画像を１８０度回転させることは容易である。しかし、この構成では、表示画像を９０度回転させることはできない。
【００１７】
ここで、前述したように画像を９０度回転させるための記憶装置であるフレームメモリを使用する従来の構成があるが、この構成は複雑であり製造コストがかかる。また、フレームメモリを使用することなく、アプリケーションにより全ての画像を９０度回転させて表示する構成も考えられるが、このようなアプリケーションの作成は非常に困難であり、また特殊なアプリケーションとなるため、実用的ではない。
【００１８】
したがって、上記従来の表示装置の構成では、表示画面を横長とした状態で使用される携帯用情報機器に組み込むための表示装置として、当該機器に適した横型表示装置を設計しなければならず、また表示画面を縦長とした状態で使用される携帯用情報機器に組み込むための表示装置として、当該機器に適した横型表示装置を設計しなければならない。
【００１９】
ここで、上記従来の表示装置の構成とは異なる第１の従来の表示装置として、ゲートドライバ１０３に対応する走査信号線駆動回路と、ソースドライバ１０２に対応するデータ信号線駆動回路とからなる１対の駆動回路を２対、互いに９０度ずれた（９０度回転させた）位置に配置し、これら９０度ずれた位置に配置される２対の駆動回路に対応してオンまたはオフされるように、１つの画素形成部内に２つのスイッチング素子を並列に設ける構成がある（例えば特許文献１を参照）。この構成では、２対の駆動回路のうちの動作するいずれか１対に基づき、対応する画素形成部のスイッチング素子が制御されることにより、表示画像の回転が行われる。このことにより、駆動回路を含む外部回路全体の負荷が低減される。
【００２０】
また、上記従来の表示装置の構成とは異なる第２の従来の表示装置として、ソースバスラインＳ１〜Ｓｎに対応する水平共通電極に印加されるソース信号を生成するためのクロック信号と、ゲートバスラインＧ１〜Ｇｍに対応する垂直共通電極に印加されるゲート信号を生成するためのクロック信号とを互いに入れ替えるための制御回路を設ける構成がある（例えば特許文献２を参照）。
【特許文献１】特開２００３−１９５８２４号公報
【特許文献２】特開昭６４−１５７９５号公報
【発明の開示】
【発明が解決しようとする課題】
【００２１】
しかし、上記第１の従来の表示装置の構成では、走査信号線駆動回路とデータ信号線駆動回路とがそれぞれ２つずつ設けられるため部品数が増加するだけでなく、液晶パネルとこれらの駆動回路とを接続する工数も増加するため、製造コストが高くなる。また、走査信号線駆動回路とデータ信号線駆動回路とを配置しかつこれらを液晶パネルと接続するためのスペースが必要であるため、液晶表示装置の小型化を図ることが困難となる。
【００２２】
また、上記第２の従来の表示装置の構成にも以下のような問題がある。すなわち前述したように、一般的な液晶表示装置では、或る１つのゲートバスラインを選択することにより当該ゲートバスラインに接続される画素形成部内のＴＦＴが全てオンされた状態で、これらオンされた上記ＴＦＴに対応する液晶素子に対しアナログ映像信号に相当する電圧が順次印加されていく。その後、次のゲートバスラインが選択されるときには直前に選択されていたゲートバスラインに接続されるＴＦＴは全てオフされる。したがって、液晶素子に印加されていた電圧は、再び次の映像フレームにおいて所定のアナログ映像信号に相当する電圧が印加されるまで保持され続ける。
【００２３】
しかし、上記第２の従来の表示装置の構成では、ソース信号を生成するためのクロック信号とゲート信号を生成するためのクロック信号とが単純に入れ換えられるため、一旦オンされたＴＦＴがオフされることにより保持される電圧は保持され続けることがない。すなわち、当該電圧は、その後、次のソースバスラインに対応するＴＦＴをオンするためのゲート信号により上記ＴＦＴが再びオンされるとき、ゲートバスラインに印加される電圧と衝突するため変化する。このことは次のソースバスラインに対応するＴＦＴをオンするときにも同様である。そのため、結局、液晶素子に印加された電圧は、再び次の映像フレームにおいて所定のアナログ映像信号に相当する電圧が印加されるまで保持され続けることがないので、上記第２の従来の表示装置の構成では、現実的な駆動を行うことができない。
【００２４】
そこで、本発明は、フレームメモリやもう１組の駆動回路をさらに備えることなく、表示画像を９０度（または２７０度）回転させることができるアクティブマトリクス型の表示装置を提供することを目的とする。
【課題を解決するための手段】
【００２５】
第１の発明は、所定の方向へ延びる互いに平行な複数の第１の信号線と、前記第１の信号線と直交する方向へ延びる互いに平行な複数の第２の信号線と、前記第１および第２の信号線の交差点にそれぞれ対応してマトリクス状に配置される複数の画素を形成する画素形成部と、所定の映像信号を伝送する映像信号線と、前記複数の第１の信号線に与える所定の第１の信号の状態を所定の期間ずつアクティブにする第１の駆動手段と、前記複数の第２の信号線に与える所定の第２の信号の状態を所定の期間ずつアクティブにする第２の駆動手段とを備える表示装置であって、
前記映像信号線は、前記画素形成部全てに前記映像信号を伝送し、
前記画素形成部は、
前記映像信号を受け取ることにより表示を行う電気光学素子と、
前記複数の第１の信号線のうちの対応する交差点を通る第１の信号線に与えられる第１の信号の状態がアクティブであってかつ前記複数の第２の信号線のうちの対応する交差点を通る第２の信号線に与えられる第２の信号の状態がアクティブであるときには前記電気光学素子に前記映像信号を与え、前記第１の信号の状態がアクティブでないときまたは前記第２の信号の状態がアクティブでないときには前記電気光学素子に前記映像信号を与えないスイッチ回路とを含むことを特徴とする。
【００２６】
第２の発明は、第１の発明において、
前記スイッチ回路は、
前記対応する交差点を通る第１の信号線に与えられる第１の信号の状態がアクティブであるときにオンされる第１のスイッチング素子と、
前記対応する交差点を通る第２の信号線に与えられる第２の信号の状態がアクティブであるときにオンされる第２のスイッチング素子とを含み、
前記第１および第２のスイッチング素子は、前記映像信号線と前記電気光学素子との間に直列に介挿されることを特徴とする。
【００２７】
第３の発明は、第１の発明において、
前記スイッチ回路は、
前記対応する交差点を通る第１の信号線に与えられる第１の信号の状態がアクティブであるときであってかつ前記対応する交差点を通る第２の信号線に与えられる第２の信号の状態がアクティブであるときに、所定のオン電圧を出力するＡＮＤ回路と、
前記映像信号線と前記電気光学素子との間に介挿されており、前記ＡＮＤ回路から前記オン電圧を受け取ることにより、前記映像信号線と前記電気光学素子とを接続するスイッチング素子とを含むことを特徴とする。
【００２８】
第４の発明は、第１から第３までのいずれか１つの発明において、
前記電気光学素子は液晶素子であることを特徴とする。
【発明の効果】
【００２９】
上記第１の発明によれば、映像信号線により画素形成部全てに所定の映像信号が供給され、互いに直交する第１および第２の走査信号線を駆動する第１および第２の駆動手段の構成を同じくすることにより、これらの動作（機能）を入れ替え可能としている。このことにより、本表示装置はフレームメモリや特別なアプリケーションを使用することなく、表示画像を９０度（または２７０度）回転させることができる。したがって、表示画面を横長（または縦長）とした状態で使用される携帯用情報機器に組み込むための表示装置として、当該機器に適した横型表示装置（または縦型表示装置）を特別に設計することは、不要となる。
【００３０】
また、本表示装置では、画素形成部のスイッチ回路が常に１つずつしか働かない（すなわち電気光学素子に映像信号を与えない）ため、映像信号電圧のリークが抑制される。そのため、表示画質を良好に保つことができる。
【００３１】
上記第２の発明によれば、第１および第２のスイッチング素子を使用することにより簡易な構成で、表示画像を９０度（または２７０度）回転させることができる。
【００３２】
上記第３の発明によれば、ＡＮＤ回路を使用することにより映像信号線と電気光学素子との間に２つのスイッチング素子を直列に介挿することなく、表示画像を９０度（または２７０度）回転させることができる。
【００３３】
上記第４の発明によれば、表示画像を９０度（または２７０度）回転させることができる液晶表示装置を提供することができる。
【発明を実施するための最良の形態】
【００３４】
以下、添付図面を参照しつつ本発明の一実施形態について説明する。
＜１．装置構成および動作＞
図１は、上記一実施形態に係る液晶表示装置の構成例を示す図である。この液晶表示装置１は、第１のシフトレジスタ２と、第２のシフトレジスタ３と、表示を行うためのアクティブマトリクス型の液晶パネル４と、所定のアナログ映像信号ＡＶを増幅するバッファ１２とを備える。またホスト６は、この液晶表示装置１の外部に設けられて表示制御手段として機能しており、アナログ映像信号ＡＶを含む信号を液晶表示装置１に与える。なお、この液晶表示装置１は、点順次駆動方式を使用する。
【００３５】
ここで、第１のシフトレジスタ２および第２のシフトレジスタ３は、一般的には液晶パネル４とは異なる基板上に形成されるが、本液晶表示装置１はこれらが多結晶シリコンまたは連続粒界結晶シリコン（ＣＧシリコン）等を使用して同一基板上に形成される、いわゆるドライバーモノリシック型の液晶表示装置であってもよい。この場合、上記液晶表示装置におけ液晶パネル４は、第１のシフトレジスタ２および第２のシフトレジスタ３を含むものとなる。
【００３６】
液晶パネル４には、縦方向に延びる互いに平行なｎ本の第１の走査信号線ＬＡ１〜ＬＡｎと、これらに直交する方向（横方向）に延びる互いに平行なｍ本の第２の走査信号線ＬＢ１〜ＬＢｍとが配設されており、これら第１および第２の走査信号線の各交点近傍には画素形成部５が設けられている。ここで、ｎはアナログ映像信号に含まれる画像データが表す画像の水平方向の画素数（なお、カラー表示の場合は１つの画素につき３つのソースバスラインが必要であるが、ここでは説明を簡略化するため１つのソースバスラインで表している）に相当する自然数であり、ｍはその垂直方向の画素数に相当する自然数である。したがって、液晶パネル４には、上記画像を表示するためのｍ×ｎ個の画素形成部５がマトリクス状に配設されることになる。また図１では、これらｍ×ｎ個のうちの任意の１つが画素形成部５として例示されている。なお、図中のｊはｍ以下の任意の自然数であり、ｋはｎ以下の任意の自然数である。
【００３７】
また、液晶パネル４には、全ての画素形成部５内を通る１本のアナログ映像信号線１１が配設されている。なお、図１では、このアナログ映像信号線１１は、第２の走査信号線ＬＢ１〜ＬＢｍに沿って液晶パネル４の上部から下部へ蛇行するように延設されるが、全ての画素形成部５内を通るものであればその本数や形状に限定はなく、例えば格子状や櫛の歯状の形状を有していてもよい。
【００３８】
図２は、画素形成部５の構成を示す回路図である。この画素形成部５は、第１の走査信号線ＬＡｋおよび第２の走査信号線ＬＢｊの交差点ＣＰｊｋ近傍に設けられており、スイッチング素子であるＴＦＴ７およびＴＦＴ１６を含むスイッチ回路１５と、表示素子である液晶素子８と、与えられる電荷を保持するための補助容量９とを備える。具体的には、液晶パネル４は、各種信号線およびスイッチ回路１５を含むＴＦＴ基板と、全ての画素形成部に共通する電極である共通電極（対向電極）Ｅｃを含む基板との間に液晶素子８を構成する液晶が挟まれるように配置される構造を有している。この構造は、図５に示す従来の液晶表示装置と同様であり、上記画素形成部５の構成も図６に示す画素形成部１０５の構成に類似するが、上記ＴＦＴ７のソース端子と従来のソースバスラインＳｋに相当するアナログ映像信号線１１との間にＴＦＴ１６が介挿されている点が従来の構成とは大きく異なる。すなわち、ＴＦＴ７のソース端子はＴＦＴ１６のドレイン端子に接続され、ＴＦＴ１６のソース端子はアナログ映像信号線１１に接続される。また、ＴＦＴ１６のゲート端子は第１の走査信号線ＬＡｋに接続され、ＴＦＴ７のゲート端子は第２の走査信号線ＬＢｊに接続される。さらに、ＴＦＴ７のドレイン端子は、液晶と接するように上記ＴＦＴ基板に設けられた画素電極Ｅｐに接続される。なお上記の接続関係に代えて、ＴＦＴ７のゲート端子が第１の走査信号線ＬＡｋに接続され、ＴＦＴ１６のゲート端子が第２の走査信号線ＬＢｊに接続されてもよい。この場合にはＴＦＴ７およびＴＦＴ１６の機能が入れ替わるだけで同様の動作が実現される。また、補助容量９は、液晶容量に対して並列に形成される容量であり、液晶容量とともに画素容量を構成する。
【００３９】
ホスト６は、例えばパーソナルコンピュータ等に含まれる所定の信号源からデジタル映像信号を受け取り、受け取られた当該デジタル映像信号の表す画像を液晶パネル４に表示させるための信号として、所定の第１のシフトレジスタ用スタートパルスＳＳＰ（以下、単に「スタートパルスＳＳＰ」という）と、第１のシフトレジスタ用クロック信号ＳＣＬＫ（以下、単に「クロック信号ＳＣＬＫ」という）と、バッファ１２を介してアナログ映像信号線１１に印加すべきアナログ電圧信号であるアナログ映像信号ＡＶと、所定の第１のシフトレジスタ用スタートパルスＧＳＰ（以下、単に「スタートパルスＧＳＰ」という）と、第１のシフトレジスタ用クロック信号ＧＣＬＫ（以下、単に「クロック信号ＧＣＬＫ」という）と、第１のシフトレジスタ２のシフト動作の方向を制御するための方向制御信号ＳＲＥＶと、第２のシフトレジスタ３のシフト動作の方向を制御するための方向制御信号ＧＲＥＶとを生成し、生成されたこれらの信号を液晶表示装置１に与える。
【００４０】
第１のシフトレジスタ２は、ｎ本の第１の走査信号線ＬＡ１〜ＬＡｎにそれぞれ対応するｎ個のフリップフロップを含んでおり、ホスト６からスタートパルスＳＳＰおよびクロック信号ＳＣＬＫを受け取る。第１のシフトレジスタ２は、受け取ったスタートパルスＳＳＰをクロック信号ＳＣＬＫに応じて順次シフトする動作を行うことにより、ｎ本の第１の走査信号線ＬＡ１〜ＬＡｎが通常の表示状態（表示画像の回転が行われない表示状態）では所定期間ずつ順次に選択される。すなわち選択された第１の走査信号線において、画素形成部５のＴＦＴ１６に印加される電圧信号である第１の走査信号の状態がアクティブにされる。
【００４１】
同様に、第２のシフトレジスタ３は、ｍ本の第２の走査信号線ＬＢ１〜ＬＢｍにそれぞれ対応するｍ個のフリップフロップを含んでおり、ホスト６からスタートパルスＧＳＰおよびクロック信号ＧＣＬＫを受け取る。第２のシフトレジスタ３は、受け取ったスタートパルスＧＳＰをクロック信号ＧＣＬＫに応じて順次シフトする動作を行うことにより、ｍ本の第２の走査信号線ＬＢ１〜ＬＢｍが通常の表示状態では所定期間ずつ順次に選択される。すなわち選択された第２の走査信号線において、画素形成部５のＴＦＴ７に印加される電圧信号である第２の走査信号の状態がアクティブにされる。
【００４２】
このように、通常の表示状態では、第２のシフトレジスタ３から第２の走査信号線ＬＢ１に印加される第２の走査信号の状態がアクティブにされるとき、第１のシフトレジスタ２から第１の走査信号線ＬＡ１〜ＬＡｍに印加される第１の走査信号が順次アクティブにされ（すなわち第１のシフトレジスタ２によるｎ回のシフト動作が行われ）、次に第２の走査信号線ＬＢ２に印加される第２の走査信号の状態がアクティブにされるとき、同様に第１の走査信号線ＬＡ１〜ＬＡｍに印加される第１の走査信号の状態が順次アクティブにされるというように、第２のシフトレジスタ３のシフト動作がｍ回繰り返される。このことにより、全ての画素形成部５にアナログ映像信号ＡＶが順次印加される。具体的には、液晶素子８（液晶層）を挟む画素電極Ｅｐと共通電極Ｅｃとの間に、（これらの電極間の電位差に相当する電圧として）アナログ映像信号ＡＶに応じた電圧が印加される。液晶パネル４は、この印加電圧によって液晶素子８（液晶層）の光透過率を制御することにより、外部のパソコン等の信号源から受け取ったデジタル映像信号の示す画像を表示する。
【００４３】
したがって、本液晶表示装置１の駆動方式は、従来の液晶表示装置と同様、点順次駆動である。しかし、本液晶表示装置１は、従来の液晶表示装置とは異なり、アナログ映像信号線１１と画素形成部５とを接続しまたは切り離すためのスイッチ手段がソースドライバ内ではなく画素形成部５内に含まれている（これは具体的にはスイッチ回路１５のＴＦＴ１６に相当する）。このことにより、従来のソースドライバに含まれていた上記スイッチ手段（例えば図５に示すアナログスイッチＡＳ１〜ＡＳｎ）が不要となるため、本液晶表示装置１の第１のシフトレジスタ２は、（第２のシフトレジスタ３と同様に）従来のゲートドライバと同様の回路構成にすることができる。
【００４４】
また、第１のシフトレジスタ２および第２のシフトレジスタ３は、そのシフト動作の動作方向（以下、単に「シフト方向」という）を指定する信号である方向制御信号ＳＲＥＶ，ＧＲＥＶにより、対応するシフトレジスタのシフト方向を順方向または逆方向のいずれかに設定することができる。方向制御信号ＳＲＥＶ，ＧＲＥＶによりこのシフト方向が変更されると、変更されたシフト方向に応じて液晶パネル４の表示画面に表示される画像の表示方向が（第２のシフトレジスタ３のシフト方向を反転させることにより）上下に反転し、または（第１のシフトレジスタ２のシフト方向を反転させることにより）左右に反転することになる。
【００４５】
このように、本液晶表示装置では、従来の液晶表示装置と同様に、表示画像を上下および左右に反転することができるため、表示画像を１８０度回転させることは容易である。また、本液晶表示装置では、従来の液晶表示装置とは異なり、第１のシフトレジスタ２および第２のシフトレジスタ３が同様の構成であることから、これらの動作（機能）を入れ替えることにより容易に表示画像を９０度（または２７０度）回転させることができる。すなわち、第１のシフトレジスタの動作を決定するスタートパルスＳＳＰおよびクロック信号ＳＣＬＫと、第２のシフトレジスタ３の動作を決定するスタートパルスＧＳＰおよびクロック信号ＧＣＬＫとを入れ替えることにより表示画像を９０度（または２７０度）回転させることができる。
【００４６】
図３は、上記信号の入れ替えを行うための切り替え部の構成を示す図である。この切り替え部６０は、ホスト６に内蔵されており、連動して切り替え動作を行う４つのスイッチ６１〜６４を含む。この切り替え部６０は、従来のホストにより生成されるスタートパルスＳＳＰ，ＧＳＰおよびクロック信号ＳＣＬＫ，ＧＣＬＫと同一の信号であるスタートパルスＳＳＰ’，ＧＳＰ’およびクロック信号ＳＣＬＫ’，ＧＣＬＫ’を受け取る。ここで切り替え部６０は、表示画像を９０度（または２７０度）回転させないとき（通常の表示状態であるとき）には、上記信号の入れ替えを行うことなく図に示すようにそのまま（スルーで）スタートパルスＳＳＰ，ＧＳＰおよびクロック信号ＳＣＬＫ，ＧＣＬＫを出力することにより、これらの信号を液晶表示装置１に与える。なおこのとき、方向制御信号ＳＲＥＶにより第１のシフトレジスタ２のシフト方向が反転させられ、方向制御信号ＧＲＥＶにより第２のシフトレジスタ３のシフト方向が反転させられるときには、表示画像が１８０度回転されて表示されるが、この動作は従来の表示装置においても同様に行うことができる。
【００４７】
また、表示画像を９０度（または２７０度）回転させるときには、切り替え部６０は上記スイッチ６１〜６４（の接点）を切り替えることで、スタートパルスＧＳＰ’をスタートパルスＳＳＰとし、スタートパルスＧＳＰ’をスタートパルスＳＳＰとし、クロック信号ＧＣＬＫ’をクロック信号ＳＣＬＫとし、クロック信号ＳＣＬＫ’をクロック信号ＧＣＬＫとして出力することにより、これらの信号を液晶表示装置１に与える。またこのとき同時に、方向制御信号ＳＲＥＶにより第１のシフトレジスタ２のシフト方向が反転させられると、画像が９０度回転して表示され、方向制御信号ＧＲＥＶにより第２のシフトレジスタ３のシフト方向が反転させられると、画像が２７０度回転して表示される。
【００４８】
＜２．効果＞
以上のように、本実施形態に係る液晶表示装置では、アナログ映像信号線１１を全ての画素形成部５内を通るように配設し、互いに直交する第１の走査信号線ＬＡ１〜ＬＡｍおよび第２の走査信号線ＬＢ１〜ＬＢｍを駆動する第１のシフトレジスタ２および第２のシフトレジスタ３の構成を同じくすることにより、これらの動作（機能）を入れ替え可能としている。このことにより、本液晶表示装置はフレームメモリや特別なアプリケーションを使用することなく、表示画像を９０度（または２７０度）回転させることができる。したがって、表示画面を横長（または縦長）とした状態で使用される携帯用情報機器に組み込むための表示装置として、当該機器に適した横型表示装置（または縦型表示装置）を特別に設計することは、不要となる。
【００４９】
また、本実施形態に係る液晶表示装置では、従来の液晶表示装置よりも表示画質を良好に保つことができる。すなわち、従来の液晶表示装置では、或るゲートラインが選択されると、当該選択されたゲートラインに接続される画素形成部のスイッチング用ＴＦＴが全てがオンされたままアナログ映像信号に相当する電圧が各液晶素子に順次印加されていく。そのため、例えば左端に位置する画素形成部では、右端の画素形成部に対してアナログ映像信号に相当する電圧が印加されるまで、与えられたアナログ映像信号に相当する電圧を上記ＴＦＴがオンされた状態で保持しなければならない。しかし、この保持されるべき電圧は時間の経過とともに徐々に低下（リーク）するため、表示画質が低下するという問題点がある。しかし、本実施形態に係る液晶表示装置では、スイッチング用ＴＦＴが常に１つずつしかオンされないため、上述のような電圧のリークが抑制される。そのため、表示画質を良好に保つことができる。
【００５０】
＜３．スイッチ回路の変形例＞
上記一実施形態におけるスイッチ回路１５は、図２に示すようにアナログ映像信号線１１と画素電極Ｅｐとの間に直列に介挿されるＴＦＴ７およびＴＦＴ１６を含むが、このスイッチ回路１５は、第１のシフトレジスタ２から第１の走査信号線ＬＡｋに印加される第１の走査信号の状態がアクティブにされ、かつ第２のシフトレジスタ３から第２の走査信号線ＬＢｊに印加される第２の走査信号の状態がアクティブにされるときに、アナログ映像信号線１１と画素電極Ｅｐとを接続するものであればどのような構成であってもよい。以下、このスイッチ回路１５の変形例につき、図４を参照して具体的に説明する。
【００５１】
図４は、このスイッチ回路の変形例の構成を示す回路図である。この変形例におけるスイッチ回路１５は、従来のスイッチング素子と同様に機能するＴＦＴ７と、所定のＡＮＤ演算を行いその結果を出力するＡＮＤ回路１０とを含む。上記ＴＦＴ７のソース端子はアナログ映像信号線１１に接続され、そのドレイン端子は画素電極Ｅｐに接続され、そのゲート端子は上記ＡＮＤ回路１０のＡＮＤ演算結果を出力する出力端子に接続される。このＡＮＤ回路１０は、第１の走査信号線ＬＡｋに印加される第１の走査信号の状態がアクティブにされ、かつ第２の走査信号線ＬＢｊに印加される第２の走査信号の状態がアクティブにされるときに、（ＡＮＤ演算の結果として）ＴＦＴ７をオンするための所定のオン電圧をそのゲート端子に印加する。なお図４では、このオン電圧を供給するための電源電圧供給線は省略されている。このような変形例の構成により、全ての画素形成部５にアナログ映像信号ＡＶが順次印加され、点順次駆動による表示が実現される。
【００５２】
＜４．その他の変形例＞
上記一実施形態における切り替え部６０は、複数のスイッチを含み、ホスト６に内蔵されるが、第１のシフトレジスタの動作を決定するスタートパルスＳＳＰおよびクロック信号ＳＣＬＫと、第２のシフトレジスタ３の動作を決定するスタートパルスＧＳＰおよびクロック信号ＧＣＬＫとを入れ替えることができる構成であればどのような入れ替え手段であってもよく、また液晶表示装置１に内蔵されてもよい。なお、上記信号の入れ替えは、装置製造時に予めなされてもよいし、利用者等の操作に基づいてなされてもよいし、アプリケーション等による制御に基づいてなされてもよい。
【００５３】
上記一実施形態に係る液晶表示装置は、液晶層を挟む画素電極Ｅｐと共通電極Ｅｃとの間にアナログ映像信号ＡＶに相当する電圧を印加する構成であるが、アクティブマトリクス型の表示装置であれば液晶を使用した表示装置には限定されない。例えば、液晶に代えて、例えば無機ＥＬ（Electro Luminescence）素子や有機ＥＬ素子等の電気光学素子を使用した表示装置であってもよい。ここで電気光学素子とは、ＥＬ素子の他、ＦＥＤ（Field Emission Display）、ＬＥＤ、電荷駆動素子、Ｅインク（Electronic Ink）など、電気を与えることにより光学的な特性が変化する全ての素子をいうものとする。
【図面の簡単な説明】
【００５４】
【図１】本発明の一実施形態に係る液晶表示装置の構成を示す図である。
【図２】上記一実施形態における画素形成部の構成を示す回路図である。
【図３】上記一実施形態における切り替え部の構成を示す図である。
【図４】上記一実施形態におけるスイッチ回路の変形例の構成を示す回路図である。
【図５】従来の液晶表示装置の構成を示す図である。
【図６】従来の液晶表示装置における画素形成部の構成を示す回路図である。
【符号の説明】
【００５５】
１  …液晶表示装置
２  …第１のシフトレジスタ
３  …第２のシフトレジスタ
４  …液晶パネル
５  …画素形成部
６  …ホスト
７，１６〜１８  …薄膜トランジスタ（ＴＦＴ）
８  …液晶素子
９  …補助容量
１０  …ＡＮＤ回路
１１  …アナログ映像信号線
１２  …バッファ
１５  …スイッチ回路
６０  …切り替え部
６１〜６４…スイッチ
ＡＶ      …アナログ映像信号
ＳＳＰ    …第１のシフトレジスタ用スタートパルス
ＳＣＬＫ  …第１のシフトレジスタ用クロック信号
ＧＳＰ    …第２のシフトレジスタ用スタートパルス
ＧＣＬＫ  …第２のシフトレジスタ用クロック信号
ＳＲＥＶ  …第１のシフトレジスタ用方向制御信号
ＧＲＥＶ  …第２のシフトレジスタ用方向制御信号
ＬＡ１〜ＬＡｎ  …第１の走査信号線
ＬＢ１〜ＬＢｍ  …第２の走査信号線
【図１】
2005208307.tif 000003
【図２】
2005208307.tif 000004
【図３】
2005208307.tif 000005
【図４】
2005208307.tif 000006
【図５】
2005208307.tif 000007
【図６】
2005208307.tif 000008